(57)【要約】【課題】  フレーム間圧縮とフレーム内圧縮を選択できる符号化処理手段をそれぞれ有する２つの映像信号処理手段を活用する。【解決手段】  全フレームをフレーム内圧縮する全イントラ圧縮モードで、信号入力部１０３は、画像データをフレームごとに交互に映像信号処理部１２０，１３０に供給する。フレーム内圧縮とフレーム間圧縮を併用する併用圧縮モードで、信号入力部１０３は、画像データを映像信号処理部１２０，１３０の両方に供給する。映像信号処理部１２０，１３０は符号化処理部１２３，１３３による圧縮画像データをＲＡＭ１２６，１３６に格納する。全イントラ圧縮モードでは、映像信号処理部１２０は映像信号処理部１３０から圧縮画像データを受信してＲＡＭ１２６に格納し、映像信号処理部１３０は映像信号処理部１２０から圧縮画像データを受信してＲＡＭ１３６に格納する。【選択図】  図１
2017168918.tif 000002
【特許請求の範囲】
【請求項１】
画像データを生成する画像データ生成手段と、
フレーム内圧縮のみの第１の圧縮モードとフレーム内圧縮とフレーム間圧縮を併用する第２の圧縮モードを選択できる符号化処理手段をそれぞれ有する複数の映像信号処理手段と、
設定された圧縮モードが、前記第１の圧縮モードである場合に、前記画像データをフレーム毎に前記複数の映像信号処理手段に振り分け、前記第２の圧縮モードである場合に、前記画像データを前記複数の映像信号処理手段の全てに供給する信号入力手段
とを有することを特徴とする画像記録装置。
【請求項２】
前記第１の圧縮モードは、フレーム内圧縮により画像データを圧縮符号化するモードであり、前記第２の圧縮モードは、フレーム内圧縮とフレーム間圧縮を併用して画像データを圧縮符号化するモードであることを特徴とする請求項１に記載の画像記録装置。
【請求項３】
前記画像データ生成手段は、被写体を撮像する撮像手段を含むことを特徴とする請求項１または２に記載の画像記録装置。
【請求項４】
前記複数の映像信号処理手段は、相互にデータを転送できる通信手段を有することを特徴とする請求項１から３のいずれか１項に記載の画像記録装置。
【請求項５】
前記複数の映像信号処理手段のそれぞれは、前記符号化処理手段により符号化された圧縮画像データと、前記通信手段により他の映像信号処理手段から転送された圧縮画像データとを格納するメモリ手段を有することを特徴とする請求項４に記載の画像記録装置。
【請求項６】
前記複数の映像信号処理手段のそれぞれは、複数の記録媒体のうちの対応する記録媒体に圧縮画像データを記録するメディア制御手段を有することを特徴とする請求項１から４のいずれか１項に記載の画像記録装置。
【請求項７】
さらに、前記第１の圧縮モードでは、前記複数の映像信号処理手段により圧縮された圧縮画像データを所定の順で記録媒体に記録し、前記第２の圧縮モードでは、前記複数の映像信号処理手段により圧縮された圧縮画像データを前記記録媒体に記録する記録手段を有することを特徴とする請求項１から５のいずれか１項に記載の画像記録装置。
【発明の詳細な説明】
【技術分野】
【０００１】
本発明は、動画像を記録するデジタルビデオカメラなどの画像記録装置に関する。
【背景技術】
【０００２】
デジタビデオカメラ（画像記録装置）においては、撮像センサ（イメージセンサ）の高画素化又は高フレームレート化に伴って、ＭＰＥＧ圧縮等を行う画像処理回路での処理能力が不足する傾向にある。画像処理回路での処理能力が不足すると、高解像度または高フレームレートの動画像記録の実現が困難となる。
【０００３】
画像処理回路での処理能力を改善する技術としては、複数の画像処理回路で並列処理する構成が考えられる（特許文献１参照）。特許文献１には、撮像センサが、２つの画像処理回路に画像データと撮影順を示す識別情報を交互に出力し、各画像処理回路で圧縮された画像データを識別情報に基づき撮影順に記録媒体に記録することが記載されている。
【先行技術文献】
【特許文献】
【０００４】
【特許文献１】特開２００８−２１９３２０号公報
【発明の概要】
【発明が解決しようとする課題】
【０００５】
特許文献１に記載される技術では、フレーム間圧縮は利用出来るが、フレーム間圧縮は利用出来ない。その結果、高効率な画像データ圧縮を実現することが難しい。
【０００６】
本発明は、このような不都合を解消し、フレーム間圧縮を利用可能にする画像記録装置を提示することを目的とする。
【課題を解決するための手段】
【０００７】
本発明に係る画像記録装置は、画像データを生成する画像データ生成手段と、フレーム内圧縮のみの第１の圧縮モードとフレーム内圧縮とフレーム間圧縮を併用する第２の圧縮モードを選択できる符号化処理手段をそれぞれ有する複数の映像信号処理手段と、設定された圧縮モードが、前記第１の圧縮モードである場合に、前記画像データをフレーム毎に前記複数の映像信号処理手段に振り分け、前記第２の圧縮モードである場合に、前記画像データを前記複数の映像信号処理手段の全てに供給する信号入力手段とを有することを特徴とする。
【発明の効果】
【０００８】
本発明によれば、フレーム内圧縮モードでは画像データを複数の映像信号処理手段で交互に処理し、フレーム間圧縮モードでは、同じ画像データを複数の映像信号処理手段の両方に連続的に入力する。これにより、各映像信号処理手段の符号化処理手段の符号化能力を生かしつつ、フレーム内圧縮とフレーム間圧縮を適宜に選択して利用することができる。
【図面の簡単な説明】
【０００９】
【図１】本発明の一実施例の概略構成ブロック図である。
【図２】フレーム内圧縮とフレーム間圧縮のピクチャシーケンス図である。
【図３】設定される圧縮モードに応じた信号入力部の制御のフローチャートである。
【図４】全イントラ圧縮モードと併用圧縮モードでの映像信号処理部への入力フレームの説明図である。
【図５】全イントラ圧縮モードでの本実施例の圧縮と記録の動作フローチャートである。
【図６】全イントラ圧縮モードで映像信号処理部のＲＡＭに格納される圧縮データの説明図である。
【図７】本実施例の併用モードでの圧縮と記録の動作フローチャートである。
【発明を実施するための形態】
【００１０】
以下、図面を参照して、本発明の実施例を詳細に説明する。
【実施例１】
【００１１】
図１は、本発明に係る画像記録装置の一実施例の概略構成ブロック図を示す。図１に示す実施例は、デジタルビデオカメラ１００である。
【００１２】
レンズ１０１は、集光のための固定レンズ群、変倍レンズ群、絞り、及び、変倍レンズ群の動きで移動した結像位置を補正する機能と焦点調節を行う機能とを兼ね備える補正レンズ群により構成されている。レンズ１０１は、撮像センサ１０２の撮像面上に被写体の光学像を結像する。
【００１３】
撮像センサ１０２は、撮像面上の光学像を、その光強度に応じた電荷の撮像信号に変換する。信号入力部１０３は、撮像センサ１０２の出力撮像信号に所定の処理を施して画像データを生成する画像データ生成手段を有し、生成した画像データを映像信号処理部１１０，１２０，１３０に分配する。
【００１４】
出力処理部１０４は、映像信号処理部１１０，１２０，１３０から出力される画像データを出力先の映像信号形式に変換して、液晶パネル１０５、ＳＤＩ１０６及びＨＤＭＩ（登録商標）１０７の何れかに出力する。液晶パネル１０５は出力処理部１０４から供給される映像信号を画像表示する表示部である。ＳＤＩ１０６は、出力処理部１０４から出力される映像信号をＳＤＩ信号として外部に出力する。ＨＤＭＩ１０７は、出力処理部１０４から出力される映像信号をＨＤＭＩ信号として出力する。
【００１５】
操作部１０８は、ユーザによるカメラ１００への種々の指示を入力する手段である。制御部１０９は、操作部１０８のユーザ操作及び動作状態に従い、カメラ１００、特に、信号入力部１０３、出力処理部１０４、及び映像信号処理部１１０，１２０，１３０の動作を制御する。
【００１６】
映像信号処理部１１０、１２０，１３０は基本的に同じ構成からなる。ただし、映像信号処理部１２０，１３０は、圧縮画像データを相互交換する通信部１２７，１３７を具備する。ここでは、映像信号処理部１１０，１２０，１３０は、画素数４０９６×２１６０の画像（以下、「４Ｋ画像」という。）を３０フレーム／秒のプログレッシブ信号（フレームレート３０Ｐ）までの範囲で処理可能である。
【００１７】
カメラ信号処理部１１１，１２１，１３１は、信号入力部１０３からの画像データ（撮像センサ１０２から出力される撮像信号）に適したホワイトバランスのゲイン値を算出して画像データに乗算し、ＹＣｂＣｒ信号に変換する。カメラ信号処理部１１１，１２１，１３１は、得られたＹＣｂＣｒ信号をそれぞれ画像処理部１１２，１２２，１３２に出力する。画像処理部１１２，１２２，１３２は、カメラ信号処理部１１１，１２１，１３１の出力画像データを符号化処理部１１３，１２３，１３３と外部出力部１１５，１２５，１３５で扱うサイズにリサイズし、符号化処理用と外部出力用の画像データを生成する。画像処理部１１２，１２２，１３２は、生成した符号化処理用画像データと外部出力用画像データをＲＡＭ１１６，１２６，１３６に格納する。
【００１８】
符号化処理部１１３，１２３，１３３は、ＲＡＭ１１６，１２６，１３６に格納された符号化処理用画像データをＭＰＥＧ４  ＡＶＣ／Ｈ．２６４に従って圧縮符号化することにより記録用圧縮ビデオデータを生成する。生成された記録用圧縮ビデオデータは、ＲＡＭ１１６，１２６，１３６に格納される。符号化処理部１１３，１２３，１３３は、全フレームをＨ．２６４におけるイントラ圧縮方式により圧縮するモードと、入力フレームをイントラ圧縮方式とインター圧縮（フレーム間圧縮）方式とを用いて圧縮するモードを選択可能である。前者を全イントラ圧縮モードと呼び、後者を併用圧縮モードと呼ぶ。
【００１９】
制御部１１４，１２４，１３４は、マイクロコンピュータであり、それぞれ映像信号処理部１１０，１２０，１３０の全体を制御する。制御部１１４，１２４，１３４は、ＲＡＭ１１６，１２６，１３６をワークメモリとして使用する。制御部１１４は、制御部１０９により制御される。図示していないが、制御部１１４、制御部１２４及び制御部１３４は、ＳＰＩ（Ｓｅｒｉａｌ  Ｐｅｒｉｐｈｅｒａｌ  Ｉｎｔｅｒｆａｃｅ）で相互に接続されており、制御信号及び状態信号などを相互にやりとりすることができる。これにより、制御部１０９は、映像信号処理部１１０，１２０，１３０の動作を、制御部１１４，１２４，１３４を介して個別に制御できる。
【００２０】
外部出力部１１５，１２５，１３５は、ＲＡＭ１１６，１２６，１３６に格納された外部出力用画像データを読み出して出力処理部１０４に出力する。
【００２１】
メディア制御部１１８，１２８，１３８はそれぞれ、符号化処理部１１３，１２３，１３３で生成されＲＡＭ１１６，１２６，１３６に格納された圧縮ビデオデータ（動画像データ）を記録媒体１１９，１２９，１３９に記録再生する。記録媒体１１９，１２９，１３９は、ＦＡＴファイルシステムなどコンピュータと互換のフォーマットでデータを記録再生できる媒体である。記録媒体１１９，１２９，１３９は、カメラ１００から取り外し可能であり、他の装置、例えば、コンピュータにも接続可能な汎用的な接続手段を有する。
【００２２】
図２を参照して、全イントラ圧縮モードと併用圧縮モードのピクチャ配置例を説明する。符号２０１は、イントラ圧縮方式により圧縮されるＩピクチャ（イントラピクチャ）であり、他のフレームを参照しない完全に独立したフレームを示す。符号２０３は、Ｐピクチャ（片方向予測ピクチャ）であり、表示順で前のフレームを参照フレームとしてその差分を符号化するフレームを示す。符号２０２は、Ｂピクチャ（双方向予測ピクチャ）であり、表示順で前後のフレームを参照フレームとしてその差分を符号化するフレームを示す。
【００２３】
図２（ａ）は、全イントラ圧縮モードで圧縮される動画のフレームシーケンス例を示す。全イントラ圧縮モードでは、全てのフレームがイントラ圧縮方式で圧縮されるので、Ｉピクチャのみで構成される。図２（ｂ）は、併用圧縮モードで圧縮される動画のフレームシーケンス例を示す。圧縮後の動画は、Ｉピクチャのほかに、Ｂピクチャ及びＰピクチャで構成されている。矢印２０４は、Ｂピクチャ及びＰピクチャの参照関係（参照方向）を示す。併用圧縮モードで圧縮する場合、符号化処理部１１３，１２３，１３３は、符号化対象フレームに対する参照フレームを保持する必要がある。
【００２４】
図３は、本実施例における圧縮モード決定のフローチャートを示す。Ｓ３０１で、制御部１０９は、ユーザによる圧縮モードの設定が全イントラ圧縮モードと併用圧縮モードの何れであるかを判断する。ユーザは操作部１０８により、採用すべき圧縮モードを制御部１０９に指示できる。全イントラ圧縮モードが設定されている場合、制御部１０９はＳ３０２に進む。併用圧縮モードが設定されている場合、制御部１０９は、Ｓ３０３に進む。
【００２５】
Ｓ３０２で、制御部１０９は、映像信号処理部１２０と映像信号処理部１３０に１フレーム毎に交互に撮像センサ１０２による画像データを出力するように、信号入力部１０３を制御する。
【００２６】
Ｓ３０３で、制御部１０９は、信号入力部１０３に、映像信号処理部１２０と映像信号処理部１３０の両方に撮像センサ１０２による画像データの全フレームを連続して出力するように信号入力部１０３を制御する。撮像センサ１０２による画像データの全フレームを映像信号処理部１１０にも入力するようにしてもよい。
【００２７】
図４は、各映像信号処理部１１０，１２０，１３０で処理されるフレームを示す。図４（ａ）はフレーム内圧縮の場合を示し、図４（ｂ）はフレーム間圧縮の場合を示す。図中の各四角の中の数値はフレーム番号を示す。図４に示す例では、信号入力部１０３には、撮像センサ１０２からフレーム番号１から１２の各フレームの画像データが連続的に入力する。
【００２８】
図４（ａ）に示すフレーム内圧縮の場合、信号入力部１０３は撮像センサ１０２からの画像データのうち、全フレームの画像データを映像信号処理部１１０に供給し、各フレームの画像データを交互に映像信号処理部１２０，１３０に供給する。図４（ａ）に示す例では、信号入力部１０３は、奇数番目のフレームの画像データを映像信号処理部１２０に供給し、偶数番目のフレームの画像データを映像信号処理部１３０に供給する。
【００２９】
全イントラ圧縮モードの場合、信号入力部１０３は、制御部１０９の制御下に、図４（ａ）に示すように各フレームの画像データを映像信号処理部１１０，１２０，１３０に分配することになる。記録媒体１１９には、２Ｋ６０Ｐの圧縮動画データが記録される。記録媒体１２９，１３９には、映像信号処理部１２０と映像信号処理部１３０の連携した圧縮符号化により生成される４Ｋ６０Ｐの圧縮動画データが記録される。
【００３０】
図４（ｂ）に示すフレーム間圧縮の場合、信号入力部１０３は撮像センサ１０２からの画像データを、どのフレームについても映像信号処理部１１０，１２０，１３０に供給する。各映像信号処理部１１０，１２０，１３０は、各フレームの画素数を２Ｋに縮小し、２Ｋ６０Ｐの動画データとして圧縮処理する。
【００３１】
このように、全イントラ圧縮モードでは、映像信号処理部１２０と映像信号処理部１３０に対して１フレーム毎に交互に動画データを入力し、別々に圧縮処理をする。これにより、映像信号処理部１２０，１３０の性能限界である４Ｋ３０Ｐを超えたフレームレートの映像信号処理を実現できる。他方、併用圧縮モードでは、映像信号処理部１２０と映像信号処理部１３０の両方に全フレームの画像データを入力することで、各映像信号処理部１２０，１３０内でフレーム間相関を取ることができ、フレーム間圧縮を実現できる。
【００３２】
図５は、全イントラ圧縮モードの圧縮記録処理のフローチャートを示す。図５（ａ）は映像信号処理部１１０の動作フローチャートを示し、図５（ｂ）は映像信号処理部１２０，１３０の動作フローチャートを示す。
【００３３】
図５（ａ）を参照して、映像信号処理部１１０が記録媒体１１９に圧縮動画データを記録する処理を説明する。
【００３４】
Ｓ５０１で、制御部１０９は、デジタルビデオカメラ１００の圧縮モードとして全イントラ圧縮モードが設定されているかどうかを判断する。ユーザは操作部１０８により制御部１０９にデジタルビデオカメラ１００の圧縮モードを設定できる。制御部１０９は、設定された圧縮モードを制御部１１４，１２４，１３４に伝達する。制御部１１４は、制御部１０９から指示された圧縮モードの設定情報をＲＡＭ１１６に格納する。全イントラ圧縮モードが設定されている場合、制御部１１４は、Ｓ５０２に進む。全イントラ圧縮モードが設定されていない場合、制御部１１４は、図５（ａ）に示すフローを終了する。
【００３５】
Ｓ５０２では制御部１０９は、信号入力部１０３を全イントラ圧縮モードで動作させる。全イントラ圧縮モードでは、信号入力部１０３は、図４（ａ）に例示するように撮像画像データを映像信号処理部１１０に供給する。カメラ信号処理部１１１は、信号入力部１０３から入力する画像データを信号処理し、画像処理部１１２が、画素数を１９２０画素×１０８０画素（いわゆる２Ｋ画像）に変換して、ＲＡＭ１１６に格納する。制御部１１４は、Ｓ５０３に進む。
【００３６】
Ｓ５０３で、制御部１１４は、ユーザによる記録開始の指示を待つ。ユーザは操作部１０８により制御部１０９に記録開始を指示できる。制御部１０９は、ユーザから記録開始指示が入力されると、この記録開始指示を制御部１１４に転送する。記録開始指示があると、制御部１１４は、Ｓ５０４に進む。
【００３７】
Ｓ５０４で、制御部１１４は、ＲＡＭ１１６に格納される符号化用画像データを符号化するように符号化処理部１１３に指示する。符号化処理部１１３は、この指示に応じて、符号化用画像データをフレーム内符号化し、生成される圧縮画像データをＲＡＭ１１６に格納する。この処理は、ユーザが記録停止指示を操作部１０８により制御部１０９に入力し、制御部１１４が、制御部１０９からこの記録停止指示を受信するまで、信号入力部１０３から入力する画像データに対して繰り返し実行される。制御部１１４は、Ｓ５０５に進む。
【００３８】
Ｓ５０５で、制御部１１４は、ユーザによる記録終了指示があったかどうかを判断する。ユーザは操作部１０８により制御部１０９に記録終了を指示できる。制御部１０９は、ユーザから記録終了指示が入力されると、この記録終了指示を制御部１１４に転送する。記録終了指示があると、制御部１１４はＳ５０８に進み、記録終了指示がない場合、制御部１１４はＳ５０６に進む。
【００３９】
Ｓ５０６で、制御部１１４は、ＲＡＭ１１６に圧縮画像データが所定量、格納されたかどうかを判断する。所定量格納された場合、制御部１１４はＳ５０７に進み、所定量に到達しない場合、Ｓ５０４に進む。
【００４０】
Ｓ５０７で、制御部１１４は、メディア制御部１１８を制御してＲＡＭ１１６に格納された圧縮画像データを、圧縮動画データ（圧縮画像データの複数フレームが連続したもの）として記録媒体１１９に書き込ませる。制御部１１４は、Ｓ５０４に進む。
【００４１】
Ｓ５０８で、制御部１１４は、メディア制御部１１８を制御してＲＡＭ１１６に残った圧縮画像データを圧縮動画データとして記録媒体１１９に書き込ませ、図５（ａ）に示す処理を終了する。
【００４２】
図５（ｂ）を参照して、映像信号処理部１２０，１３０による圧縮動画データを記録媒体１２９，１３９に記録する動作を説明する。
【００４３】
Ｓ５１１で、制御部１０９は、デジタルビデオカメラ１００の圧縮モードとして全イントラ圧縮モードが設定されているかどうかを判断する。ユーザは操作部１０８により制御部１０９にデジタルビデオカメラ１００の圧縮モードを設定できる。制御部１０９は、設定された圧縮モードを制御部１１４，１２４，１３４に伝達する。制御部１２４，１３４は、制御部１０９から指示された圧縮モードの設定情報をＲＡＭ１２６，１３６に格納する。全イントラ圧縮モードが設定されている場合、制御部１２４，１３４は、Ｓ５１２に進む。全イントラ圧縮モードが設定されていない場合、制御部１２４，１３４は、図５（ｂ）に示すフローを終了する。
【００４４】
Ｓ５１２では制御部１０９は、信号入力部１０３を全イントラ圧縮モードで動作させる。全イントラ圧縮モードでは、信号入力部１０３は、図４（ａ）に例示するように撮像画像データを映像信号処理部１２０，１３０に供給する。カメラ信号処理部１２１，１３１は、信号入力部１０３から入力する画像データを信号処理し、画像処理部１２２，１３２が、カメラ信号処理部１２１，１３１により処理された画像データを画像処理し、処理結果の画像データをＲＡＭ１２６，１３６に格納する。制御部１２４，１３４は、Ｓ５１３に進む。
【００４５】
Ｓ５１３で、制御部１２４，１３４は、ユーザによる記録開始の指示を待つ。ユーザは操作部１０８により制御部１０９に記録開始を指示できる。制御部１０９は、ユーザから記録開始指示が入力されると、この記録開始指示を制御部１２４，１３４に転送する。記録開始指示があると、制御部１２４，１３４は、Ｓ５１４に進む。
【００４６】
Ｓ５１４で、制御部１２４，１３４は、ＲＡＭ１２６，１３６に格納される符号化用画像データを符号化するように符号化処理部１２３，１３３に指示する。符号化処理部１２３，１３３は、この指示に応じて、符号化用画像データをフレーム内符号化し、生成される圧縮画像データをＲＡＭ１２６，１３６に格納する。この処理は、ユーザが記録停止指示を操作部１０８により制御部１０９に入力し、制御部１２４，１３４が、制御部１０９からこの記録停止指示を受信するまで、信号入力部１０３から入力する画像データに対して繰り返し実行される。制御部１２４，１３４は、Ｓ５１５に進む。
【００４７】
Ｓ５１５で、制御部１２４，１３４は、通信部１２７，１３７を介して、ＲＡＭ１２６，１３６に格納される圧縮画像データをそれぞれ映像信号処理部１３０，１２０に転送する。制御部１２４，１３４は、通信部１２７，１３７を介して受信した圧縮画像データをＲＡＭ１２６，１３６に格納する。すなわち、映像信号処理部１２０は、奇数番目のフレームの圧縮画像データを映像信号処理部１３０に転送し、映像信号処理部１３０は、偶数番目のフレームの圧縮画像データを映像信号処理部１２０に転送する。
【００４８】
図６は、映像信号処理部１２０，１３０で圧縮符号化されるフレームと、ＲＡＭ１２６，１３６に格納されるフレームの対応関係を示す。
【００４９】
図６（ａ）は、全イントラ圧縮モードにおいて信号入力部１０３から映像信号処理部１２０，１３０に入力する画像データのフレーム番号を示す。映像信号処理部１２０には奇数番目のフレームの画像データが入力し、映像信号処理部１３０には偶数番目のフレームの画像データが入力する。
【００５０】
図６（ｂ）は、ＲＡＭ１２６に格納される圧縮画像データをフレーム単位で示す。図６（ｂ）に示すように、ＲＡＭ１２６には、映像信号処理部１２０（の符号化処理部１２３）で生成された圧縮画像データと、他の映像信号処理部１３０（の符号化処理部１３３）で生成された圧縮画像データが格納される。
【００５１】
図６（ｃ）は、ＲＡＭ１３６に格納される圧縮画像データをフレーム単位で示す。図６（ｃ）に示すように、ＲＡＭ１３６には、映像信号処理部１３０（の符号化処理部１３３）で生成された圧縮画像データと、他の映像信号処理部１２０（の符号化処理部１２３）で生成された圧縮画像データが格納される。
【００５２】
Ｓ５１６で、制御部１２４，１３４は、ユーザによる記録終了指示があったかどうかを判断する。ユーザは操作部１０８により制御部１０９に記録終了を指示できる。制御部１０９は、ユーザから記録終了指示が入力されると、この記録終了指示を制御部１２４，１３４に転送する。記録終了指示があると、制御部１２４，１３４はＳ５１９に進み、記録終了指示がない場合、制御部１２４，１３４はＳ５１７に進む。
【００５３】
Ｓ５１７で、制御部１２４，１３４は、ＲＡＭ１２６，１３６にフレームに関して連続した圧縮画像データが所定量、格納されたかどうかを判断する。図６で説明したように、映像信号処理部１２０には奇数フレームが入力し、映像信号処理部１３０には偶数フレームが入力する。その為、画像データにフレームの連続性を持たせるためには、ＲＡＭ１２６には、連続したフレームの圧縮画像データが格納されている必要がある。一部は符号化処理部１２３が符号化した圧縮画像データのフレームであり、残りは、通信部１２７を介して映像信号処理部１３０から受信した圧縮画像データのフレームである。ＲＡＭ１３６についても同様である。ＲＡＭ１２６，１３６にフレームに関して連続した圧縮画像データが所定量、格納されている場合、制御部１２４，１３４は、Ｓ５１８に進み、そうでなければ、Ｓ５１４に進む。
【００５４】
Ｓ５１８で、制御部１２４，１３４は、メディア制御部１２８，１３８を制御してＲＡＭ１２６，１３６に格納された圧縮画像データをフレーム番号順に圧縮動画データとして記録媒体１２９，１３９に書き込ませる。制御部１２４，１３４は、Ｓ５１４に進む。
【００５５】
Ｓ５１９で、制御部１２４，１３４は、メディア制御部１２８，１３８を制御してＲＡＭ１２６，１３６に残った圧縮画像データを圧縮動画データとして記録媒体１２９，１３９に書き込ませ、図５（ｂ）に示す処理を終了する。
【００５６】
図７を参照して、併用圧縮モードでの動画記録動作を説明する。図７は、映像信号処理部１１０の圧縮と記録媒体１１９への記録の動作フローチャートを示す。併用圧縮モードでは、映像信号処理部１１０，１２０，１３０は、同じ動作をするので、以下では、映像信号処理部１１０の動作を説明する。
【００５７】
Ｓ７０１で、制御部１０９は、デジタルビデオカメラ１００の圧縮モードとして併用圧縮モードが設定されているかどうかを判断する。ユーザは操作部１０８により制御部１０９にデジタルビデオカメラ１００の圧縮モードを設定できる。制御部１０９は、設定された圧縮モードを制御部１１４，１２４，１３４に伝達する。制御部１１４は、制御部１０９から指示された圧縮モードの設定情報をＲＡＭ１１６に格納する。併用圧縮モードが設定されている場合、制御部１１４は、Ｓ７０２に進む。併用圧縮モードが設定されていない場合、制御部１１４は、図７に示すフローを終了する。
【００５８】
Ｓ７０２では、制御部１０９は、信号入力部１０３を併用圧縮モードで動作させる。併用圧縮モードでは、信号入力部１０３は、図４に例示するように撮像画像データを映像信号処理部１１０に供給する。カメラ信号処理部１１１は、信号入力部１０３から入力する画像データを信号処理し、画像処理部１１２が、カメラ信号処理部１１１により処理された画像データを画像処理し、処理結果の画像データをＲＡＭ１１６に格納する。制御部１１４は、Ｓ７０３に進む。
【００５９】
Ｓ７０３で、制御部１１４は、ユーザによる記録開始の指示を待つ。ユーザは操作部１０８により制御部１０９に記録開始を指示できる。制御部１０９は、ユーザから記録開始指示が入力されると、この記録開始指示を制御部１１４に転送する。記録開始指示があると、制御部１１４は、Ｓ７０４に進む。
【００６０】
Ｓ７０４で、制御部１１４は、ＲＡＭ１１６に格納される符号化用画像データを符号化するように符号化処理部１１３に指示する。符号化処理部１１３は、この指示に応じて、符号化用画像データをフレーム間圧縮方式で符号化し、生成される圧縮画像データをＲＡＭ１１６に格納する。この処理は、ユーザが記録停止指示を操作部１０８により制御部１０９に入力し、制御部１１４が、制御部１０９からこの記録停止指示を受信するまで、信号入力部１０３から入力する画像データに対して繰り返し実行される。制御部１１４は、Ｓ７０５に進む。
【００６１】
Ｓ７０５で、制御部１１４は、ユーザによる記録終了指示があったかどうかを判断する。ユーザは操作部１０８により制御部１０９に記録終了を指示できる。制御部１０９は、ユーザから記録終了指示が入力されると、この記録終了指示を制御部１１４に転送する。記録終了指示があると、制御部１１４はＳ７０８に進み、記録終了指示がない場合、制御部１１４はＳ７０６に進む。
【００６２】
Ｓ７０６で、制御部１１４は、ＲＡＭ１１６に圧縮画像データが所定量、格納されたかどうかを判断する。所定量格納された場合、制御部１１４はＳ７０７に進み、所定量に到達しない場合、Ｓ７０４に進む。
【００６３】
Ｓ７０７で、制御部１１４は、メディア制御部１１８を制御してＲＡＭ１１６に格納された圧縮画像データを、圧縮動画データ（圧縮画像データの複数フレームが連続したもの）として記録媒体１１９に書き込ませる。制御部１１４は、Ｓ７０４に進む。
【００６４】
Ｓ７０８で、制御部１１４は、メディア制御部１１８を制御してＲＡＭ１１６に残った圧縮画像データを圧縮動画データとして記録媒体１１９に書き込ませ、図７に示す処理を終了する。
【００６５】
上記実施例では、映像信号処理部１１０，１２０，１３０が、個別の記録媒体１１９、１２９，１３９にデータを記録する記録手段（メディア制御部１１８，１２８，１３８）を設けた。この構成では、映像信号処理部１１０，１２０，１３０のハードウエア性能を生かして、高画質・高レートの画像を扱える。より簡易な性能でよい場合、上記実施例の構成に代えて、出力処理部１０４の出力側に同様の記録手段を設けても良い。
【００６６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００６７】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００６８】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００６９】
その場合、プログラムの機能を有していれば、オブジェクトコード、インタプリタにより実行されるプログラム、ＯＳに供給するスクリプトデータ等、プログラムの形態を問わない。
【００７０】
プログラムを供給するための記録媒体としては、例えば、ハードディスク、磁気テープ等の磁気記録媒体、光／光磁気記憶媒体、不揮発性の半導体メモリでもよい。
【００７１】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【図１】
2017168918.tif 000003
【図２】
2017168918.tif 000004
【図３】
2017168918.tif 000005
【図４】
2017168918.tif 000006
【図５】
2017168918.tif 000007
【図６】
2017168918.tif 000008
【図７】
2017168918.tif 000009